(57)【要約】【課題】駐車場の管理者とユーザとの両者を満足し得る駐車区画提供方法、駐車区画提供システム、駐車区画提供装置及びコンピュータプログラムを提供する。【解決手段】クライアント装置と、サーバ装置と、サーバ装置と各々通信が可能であり、複数の駐車場夫々に設置されており、駐車場内の駐車区画の状況を取得する駐車場装置とを含む駐車場システムにて、前記複数の駐車場の駐車区画の情報を前記クライアント装置へ提供する駐車区画提供方法であって、前記クライアント装置は、前記サーバ装置から送信された情報に基づき、前記複数の駐車場の内のいずれかの選択、及び選択された駐車場の駐車区画の確保を受け付け、前記駐車場装置は、駐車区画の確保開始後、対応する駐車場の駐車区画に空きがない状態の時間である満車期間の長さを測定し、入庫開始時間、出庫時間、及び測定された満車期間の長さに基づき料金が算出される。【選択図】図１
2019070966.tif 000002
【特許請求の範囲】
【請求項１】
クライアント装置と、該クライアント装置と通信するサーバ装置と、該サーバ装置と各々通信が可能であり、複数の駐車場夫々に設置されており、駐車場内の駐車区画の状況を取得する駐車場装置とを含む駐車場システムにて、前記複数の駐車場の駐車区画の情報を前記クライアント装置へ提供する駐車区画提供方法において、
前記サーバ装置は、
前記複数の駐車場の前記駐車場装置から、駐車区画における各時点での駐車区画の状況を収集し、
前記複数の駐車場を識別する情報及び前記駐車区画の状況に基づく前記複数の駐車場の混雑状態を含む情報を前記クライアント装置へ送信し、
前記クライアント装置は、
前記サーバ装置から送信された情報に基づき、前記複数の駐車場の内のいずれかの選択、及び選択された駐車場の駐車区画の確保を受け付け、
確保が選択された場合、選択された駐車場内の駐車区画の確保依頼をサーバ装置へ送信し、
前記サーバ装置にて、前記クライアント装置から確保依頼を受信した場合、前記選択された駐車場の駐車場装置に対して確保指示を送信し、
前記駐車場装置は、駐車区画の確保開始後、対応する駐車場の駐車区画に空きがない状態の時間である満車期間の長さを測定し、
前記クライアント装置は、確保された駐車区画に対する入庫又は出庫時に前記サーバ装置経由で前記駐車場装置へ入庫通知又は出庫通知を送信し、
出庫通知が送信された場合、入庫開始時間、出庫時間、及び測定された満車期間の長さに基づき料金が算出されることを特徴とする駐車区画提供方法。
【請求項２】
前記料金の算出は、測定された満車期間の長さの総計分だけ、入庫開始時間より前に連続させた第２の入庫開始時間及び出庫時間に基づき、前記駐車場の時間帯により異なる料金表を参照して算出される
請求項１に記載の駐車区画提供方法。
【請求項３】
前記駐車場装置は、
前記サーバ装置から送信された出庫通知を受信した場合、該出庫通知を受信した時間を出庫時間に設定し、
入庫通知を受信した時間よりも測定された前記満車期間の長さ分だけ前の時間を入庫開始時間に設定し、
該入庫開始時間から前記出庫時間までの期間から料金を算出する
請求項１又は請求項２に記載の駐車区画提供方法。
【請求項４】
クライアント装置と、該クライアント装置と通信するサーバ装置と、該サーバ装置と各々通信が可能であり、複数の駐車場夫々に設置されており、駐車場内の駐車区画の状況を取得する駐車場装置とを含み、前記サーバ装置は前記複数の駐車場の駐車区画の情報を前記クライアント装置へ提供する駐車区画提供システムであって、
前記サーバ装置は、
前記複数の駐車場の前記駐車場装置から、駐車区画における各時点での状況を収集する手段と、
前記複数の駐車場を識別する情報及び前記駐車区画の状況に基づく前記複数の駐車場の混雑状態を含む情報を前記クライアント装置へ送信する手段と、
前記クライアント装置から前記複数の駐車場のいずれかの駐車区画の確保依頼を受信した場合、前記選択された駐車場の前記駐車場装置に対して確保指示を送信する手段と
を備え、
前記クライアント装置は、
前記サーバ装置から送信された情報に基づき、前記複数の駐車場の内のいずれかの選択、及び選択された駐車場の駐車区画の確保を受け付ける手段と、
確保を受け付けた場合、選択された駐車場内の駐車区画の確保依頼を前記サーバ装置へ送信する手段と、
確保された駐車区画に対する入庫又は出庫時に前記サーバ装置経由で前記駐車場装置へ入庫通知又は出庫通知を送信する手段と
を備え、
前記駐車場装置は、駐車区画の確保開始後、対応する駐車場の駐車区画に空きがない状態である満車期間の長さを測定する手段を備え、
前記クライアント装置から出庫通知が送信された場合、前記サーバ装置、クライアント装置又は駐車場装置のいずれかにて入庫開始時間、出庫時間、及び測定された満車期間の長さに基づいて料金を算出する
駐車区画提供システム。
【請求項５】
クライアント装置及び複数の駐車場夫々に設置された駐車場装置夫々と通信する通信部を備え、前記複数の駐車場の情報を前記クライアント装置へ提供する駐車区画提供装置であって、
前記複数の駐車場の前記駐車場装置から、駐車場内の駐車区画の状況を各時点で収集する手段と、
前記複数の駐車場を識別する情報及び前記駐車区画の状況に基づく前記複数の駐車場の混雑状態を含む情報を前記クライアント装置へ送信する手段と、
前記クライアント装置から、前記複数の駐車場の内のいずれか選択された駐車場及び該駐車場内での駐車区画の確保依頼を受信した場合、選択された駐車場の前記駐車場装置に対して確保指示を送信する手段と、
該確保指示を送信後、前記駐車場内にて確保された駐車区画以外に空きがない状態の時間である満車期間の長さを取得する手段と、
前記クライアント装置から入庫通知及び出庫通知を受信する手段と、
前記入庫通知を受信した場合、入庫開始時間を記憶する手段と、
前記出庫通知が送信された場合、入庫開始時間、出庫時間、及び測定された満車期間の長さに基づき料金を算出する手段と
を備えること駐車区画提供装置。
【請求項６】
通信部を備えるコンピュータに、該通信部により送受信される駐車場の情報を他装置へ提供させるコンピュータプログラムにおいて、
複数の駐車場の駐車区画の状況を各時点で収集し、
前記複数の駐車場を識別する情報及び前記駐車区画の状況に基づく前記複数の駐車場の混雑状態を含む情報を前記他装置へ前記通信部により送信し、
前記他装置から、前記複数の駐車場の内のいずれか選択された駐車場及び該駐車場内での駐車区画の確保依頼を受信し、
前記確保依頼を受信した場合、選択された駐車場に対して駐車区画の確保指示を前記通信部により送信し、
該確保指示を送信後、前記駐車場内にて確保された駐車区画以外に空きがない状態の時間である満車期間の長さを取得し、
前記他装置から入庫通知及び出庫通知を夫々受信し、
入庫開始時間、出庫時間、及び測定された満車期間の長さに基づき料金を算出する
処理を実行させることを特徴とするコンピュータプログラム。
【請求項７】
通信部及び表示部を備えるコンピュータに、前記通信部により受信される駐車場の情報を前記表示部により表示させるコンピュータプログラムにおいて、
複数の駐車場の混雑状態を含む情報を前記通信部により受信し、
前記情報、前記複数の駐車場の内のいずれかの選択、及び選択された駐車場内での駐車区画の確保を受け付ける画面を前記表示部に表示し、
選択された駐車場宛てに、駐車区画の確保を依頼する確保依頼を前記通信部から送信し、
確保の結果を受信し、前記駐車区画の確保が成功した場合、確保された駐車区画以外に空きがない状態の時間に応じて料金が発生する旨を前記表示部に表示する
処理を実行させることを特徴とするコンピュータプログラム。
【発明の詳細な説明】
【技術分野】
【０００１】
本発明は、車輌の効率的な駐車を実現する駐車区画提供方法、駐車区画提供システム、駐車区画提供装置及びコンピュータプログラムに関する。
【背景技術】
【０００２】
目的地近くの駐車場に向けて走行する車輌がその駐車場へ到着したときには満車であり、駐車区画が存在しない場合、運転者は空車である他の駐車場を探索しなければならず、運転効率が悪い。このため、予め所望の駐車場を予約することを可能とする予約システムが提案されている（特許文献１等）。
【先行技術文献】
【特許文献】
【０００３】
【特許文献１】特開２００４−２６４９３４号公報
【発明の概要】
【発明が解決しようとする課題】
【０００４】
駐車場の予約システムでは、駐車している車輌が実際に到着するまでの間、予約された駐車区画への予約車以外の車輌の駐車を阻止することになる。駐車場の管理者は、予約していないが実際に来場した車輌の駐車を阻止するという来客機会の損失を補償すべく、予約を受け入れる代わりに時間貸しの場合には予約を受け付けた時点から料金を発生させるか、駐車区画の貸与を１日単位として料金も１日単位としている。ユーザ側にとっては、予約した駐車場に到着したときに他に空いている駐車区画がある場合、また、周辺の駐車場に空きがある場合、予約時点から発生している料金、又は、１日分の駐車料金に対して強い負担感が生じる。したがってユーザは予約システムの利用を躊躇しがちであり、したがって駐車場の予約システムの普及は鈍い状況にある。
【０００５】
本発明は斯かる事情を鑑みてなされたものであり、駐車場の管理者とユーザとの両者を満足し得る駐車区画提供方法、駐車区画提供システム、駐車区画提供装置及びコンピュータプログラムを提供することを目的とする。
【課題を解決するための手段】
【０００６】
本開示の駐車区画提供方法は、クライアント装置と、該クライアント装置と通信するサーバ装置と、該サーバ装置と各々通信が可能であり、複数の駐車場夫々に設置されており、駐車場内の駐車区画の状況を取得する駐車場装置とを含む駐車場システムにて、前記複数の駐車場の情報を前記クライアント装置へ提供する駐車区画提供方法において、前記サーバ装置は、前記複数の駐車場の駐車場装置から、駐車区画における各時点での状況を収集し、前記複数の駐車場を識別する情報及び前記駐車区画の状況に基づく前記複数の駐車場の混雑状態を含む情報を前記クライアント装置へ送信し、前記クライアント装置は、前記サーバ装置から送信された情報に基づき、前記複数の駐車場の内のいずれかの選択、及び選択された駐車場の駐車区画の確保を受け付け、確保が選択された場合、選択された駐車場内の駐車区画の確保依頼をサーバ装置へ送信し、前記サーバ装置にて、前記クライアント装置から確保依頼を受信した場合、前記選択された駐車場の駐車場装置に対して確保指示を送信し、前記駐車場装置は、駐車区画の確保開始後、対応する駐車場の駐車区画に空きがない状態の時間である満車期間の長さを測定し、前記クライアント装置は、確保された駐車区画に対する入庫又は出庫時に前記サーバ装置経由で前記駐車場装置へ入庫通知又は出庫通知を送信し、出庫通知が送信された場合、入庫開始時間、出庫時間、及び測定された満車期間の長さに基づき料金が算出される。
【発明の効果】
【０００７】
本開示の駐車区画提供方法によれば、駐車場の管理者とユーザとの両者を満足させるシステムを実現することができる。
【図面の簡単な説明】
【０００８】
【図１】駐車場システムの概要を示す説明図である。
【図２】本実施の形態における駐車場システムの構成を示すブロック図である。
【図３】駐車場装置の記憶部に記憶される満空状態の内容例を示す説明図である。
【図４】駐車区画提供装置に記憶されているテーブル群の内容例を示す説明図である。
【図５】駐車区画提供システムにおける駐車区画の確保処理の手順の一例を示すフローチャートである。
【図６】駐車区画提供装置に記憶される管理情報テーブルの内容例を示す説明図である。
【図７】駐車区画への入庫時の処理手順の一例を示すフローチャートである。
【図８】駐車区画からの出庫時の精算処理手順の一例を示すフローチャートである。
【図９】料金の算出方法の説明図である。
【図１０】複数の駐車場のリスト画面の内容例を示す説明図である。
【図１１】駐車場の詳細な情報の表示例を示す説明図である。
【図１２】駐車区画の確保の結果の表示例を示す説明図である。
【図１３】確保中の駐車区画の情報の表示例を示す説明図である。
【図１４】駐車中の駐車場の情報の表示例を示す説明図である。
【図１５】精算確認の画面例を示す説明図である。
【発明を実施するための形態】
【０００９】
以下、本開示に係る駐車区画提供方法を実施する駐車場システムについて、実施の形態を示す図面に基づいて説明する。
【００１０】
図１は、駐車場システム１００の概要を示す説明図である。駐車場システム１００は、駐車区画提供装置１と、複数の駐車場装置２と、複数の通信装置３とを含む。駐車区画提供装置１は、駐車場の情報を提供するサービス提供者が管理するサーバコンピュータである。駐車場装置２は、駐車場の運営会社が管理し、複数の駐車場夫々に設置されて精算機として機能する機器である。通信装置３は、駐車場を利用するユーザが使用するクライアントコンピュータであり、例えば所謂スマートフォン、又はタブレット型の通信端末である。通信装置３は図１に示すように車載機であってもよく、例えばナビゲーション装置であってもよい。通信装置３は、スマートフォン、車載機等の他の機能を有する装置のみならず、後述する処理を行なう専用機であってもよい。駐車区画提供装置１、駐車場装置２及び通信装置３は、ネットワークＮを介して情報を送受信することが可能である。
【００１１】
以下に説明する駐車場システム１００では、駐車区画提供装置１は基本的に、クライアントである通信装置３からの要求に応じて、通信装置３の現在地、又は目的地を基準とした所定範囲内の駐車場の情報を前記通信装置３へ地図と共に通信装置３へ提供する。そして本開示の駐車場システム１００では、駐車区画提供装置１が駐車場装置２と情報を送受信することにより、通信装置３における駐車場情報提供プログラム３Ｐというアプリプログラムに基づく駐車場情報の閲覧、駐車場の空き区画（空き状態である駐車区画）の確保、及び駐車区画の精算までを可能とする。なお駐車場は図１に示すように、複数の駐車区画を含む駐車場であってもよいし、駐車区画を１つ単位で貸与の対象とする駐車場、又は、駐車区画を１つ単位で貸与するように運用されている空き地であってもよい。
【００１２】
図２は、本実施の形態における駐車場システム１００の構成を示すブロック図である。駐車区画提供装置１は、制御部１０、記憶部１１、一時記憶部１２及び通信部１３を備える。なお本実施の形態では、駐車区画提供装置１は１台のサーバコンピュータとして説明するが、複数のサーバコンピュータで処理を分散させた構成としてもよい。機能別に処理を分散させてもよいし、同一の機能を持つ複数の駐車区画提供装置１を、通信装置３の属性（ハードウェア属性、ユーザ属性、位置、ネットワーク等）毎に対応すべく分散させるようにしてもよい。
【００１３】
制御部１０は、ＣＰＵ（Central Processing Unit ）等を用いたプロセッサである。制御部１０は、記憶部１１に記憶されている駐車区画提供プログラム１Ｐに基づく情報処理を実行する。一時記憶部１２は、例えばＤＲＡＭ（Dynamic Random Access Memory）の揮発性メモリを用いて制御部１０の処理により生成される情報を一時的に記憶する。
【００１４】
記憶部１１は、例えばハードディスク又はフラッシュメモリ等の不揮発性メモリを用いる。記憶部１１には、上述したように駐車区画提供プログラム１Ｐが記憶されている。駐車区画提供プログラム１Ｐは、複数の駐車場の情報を示す送信する処理、駐車場の空き区画の確保処理、確保された駐車区画への駐車により発生する料金の決済処理を制御部１０に実行させるサーバプログラムである。また記憶部１１には、制御部１０が参照する各種情報のテーブル群１１０が記憶されている。テーブル群１１０は駐車場テーブル、ユーザテーブル、及び管理情報テーブルを含む。駐車場テーブルは例えば、提携駐車場のリスト、各駐車場における方式、料金情報、駐車制限等を含む駐車場情報、各駐車場に含まれる駐車区画の情報を含む。ユーザテーブルは、ユーザのユーザ識別情報、該ユーザ識別情報に対応付けられている決済に係る情報等を含む。管理情報テーブルは、後述する空き区画の確保処理で作成される利用状況を示す情報である。なおテーブル群１１０は、記憶部１１の内部に限らず、駐車区画提供装置１を構成するサーバコンピュータ外の外部記憶装置に記憶されていてもよい。
【００１５】
通信部１３は、ネットワークＮを介した通信接続及びデータ送受信を実現する通信デバイスである。具体的には、ネットワークＮに対応したネットワークカード等である。
【００１６】
駐車場装置２は、制御部２０、記憶部２１、一時記憶部２２、精算処理部２３、センサ入力部２４及び通信部２５を備える。制御部２０は、ＣＰＵ（Central Processing Unit ）を用い、記憶部２１に記憶されている制御プログラム２Ｐに基づいて各構成部の動作を制御する。また制御部２０はタイマーを内蔵しており、任意のタイミングで日時を特定することができる。一時記憶部２２には、制御部２０の処理により生成される情報が一時的に記憶される。
【００１７】
記憶部２１は、例えばフラッシュメモリ等の不揮発性メモリを用いる。記憶部２１には、上述の駐車場用プログラム２Ｐが記憶されている。記憶部２１には、制御部２０の処理により、駐車場装置２が設置される駐車場における駐車区画毎の満空状態を示す情報が記憶され、この情報は逐次更新される。
【００１８】
精算処理部２３は、入庫開始時間（日時）及び出庫時間（日時）と、内蔵するメモリに記憶してある料金表とを照らし合わせて料金を算出する処理を実行する。なお精算処理部２３は、後述する通信装置３を介した料金の精算が行なわれない場合は、液晶等を用いた表示部、並びに、硬貨及び紙幣の入金を受け付ける受付口、釣り銭及び領収書等を吐き出す吐出口を含む入金受付部を用いて精算を実行する。精算処理部２３は、表示部に算出した料金を表示し、該料金分だけの入金を入金受付部から受け付けたか否かを判断し、入金があった場合に制御部２０へ通知する。
【００１９】
センサ入力部２４は、センサ４からの出力信号を入力するインタフェースである。センサ４は、駐車場の駐車区画の満空状態（満状態：その駐車区画に車輌が停まっている状態、空状態：その駐車区画に車輌が停まっていない状態）を、駐車区画１つずつに対し検知するデバイスである。センサ４は、ループコイルセンサ、電磁式センサ、光電センサ、超音波センサ等の車輌検知センサを用いてもよいし、駐車区画にロック機構を設ける場合は該ロック機構の車輌検知センサを兼用してもよい。またセンサ４は、駐車区画夫々を撮影するカメラ、又は複数の駐車区画を一括して撮影するカメラであってもよい。
【００２０】
通信部２５は、無線通信デバイスを用いる。通信部２５は、後述する第２基地局ＢＳ２に接続する移動通信用の無線通信デバイスを含むとよい。通信部２５は、キャリアネットワークＮ２及び公衆網Ｎ３を介した通信が可能な通信デバイスである。
【００２１】
このように構成される駐車場装置２の制御部２０は、センサ入力部２４により入力したセンサ４による検知結果から、駐車場装置２に含まれる駐車区画を１つずつ区別して満空状態を検知する。制御部２０は検知した状態を、その状態が変化した時間（日時）と共に、駐車区画を識別する駐車場区画識別情報（番号）と対応付けて記憶部２１に逐次記憶する。また駐車場装置２は、設置されている駐車場の駐車区画にロック機構が設けられている場合、制御部２０から出力インタフェース（図示せず）を介してロック機構へ制御信号を出力し、ロック機構の施錠及び解除を制御する。
【００２２】
通信装置３は、制御部３０、記憶部３１、一時記憶部３２、位置取得部３３、表示部３４、操作部３５及び通信部３６を備える。制御部３０はＣＰＵを用い、記憶部３１に記憶されている駐車場情報提供プログラム３Ｐを含む各種プログラムに基づき各構成部の制御処理を実行する。一時記憶部３２は、例えばＤＲＡＭ等の揮発性メモリを用いて制御部３０の処理により生成される情報を一時的に記憶する。
【００２３】
記憶部３１は、例えばフラッシュメモリ等の不揮発性メモリを用いる。記憶部３１には上述の駐車場情報提供プログラム３Ｐが記憶されている。駐車場情報提供プログラム３Ｐは、地図上に自位置及び駐車場の位置を案内するアプリプログラムである。記憶部３１には、駐車場情報提供プログラム３Ｐに対応付けて、このアプリプログラムに対するユーザ識別情報が記憶されている。汎用コンピュータであるスマートフォン等を使用した通信装置３から駐車区画提供装置１への通信は、対応付けられたユーザ識別情報を用いて実行される。
【００２４】
位置取得部３３は、通信装置３の自位置を取得する。位置取得部３３は、ＧＰＳに基づき位置を取得する。位置取得部３３はＧＰＳに限らず、通信部３６のアクセスポイントＡＰ経由又はビーコン等によって位置を取得してもよい。
【００２５】
表示部３４は、液晶ディスプレイ、有機ＥＬ（Electro Luminescence）ディスプレイ等のディスプレイを用いる。表示部３４は制御部３０の端末用プログラム３Ｐに基づく処理により、駐車区画提供装置１から送信される情報を表示する。表示部３４はタッチパネル内蔵型ディスプレイを用いる。なお表示部３４は必須ではなく、操作部３５を音声によるユーザインタフェースとする場合には、表示部３４に代替して音声によって情報が出力されるようにしてもよい。
【００２６】
操作部３５は、表示部３４のディスプレイ内蔵のタッチパネル、又は筐体に設けられたボタンを用いる。なお操作部３５は、音声入力部であって音声認識機能により音声による操作を受け付けてもよい。また操作部３５は制御部３０との間で入出力が可能なキーボード及びポインティングデバイスであってもよい。操作部３５はこれらの構成によりユーザによる操作情報を制御部３０へ通知する。
【００２７】
通信部３６は、無線通信デバイスを用いる。通信部３６は、後述する第１基地局ＢＳ１に接続する移動通信用の無線通信デバイス、アクセスポイントＡＰへの接続に対応する無線通信デバイスを含むとよい。通信部３６は、キャリアネットワークＮ１又は公衆網Ｎ３を介した通信が可能な通信デバイスである。
【００２８】
ネットワークＮは、各々所定の移動通信規格による無線通信を実現するキャリアネットワークＮ１，Ｎ２と、所謂インターネットである公衆通信網Ｎ３とを含む。キャリアネットワークＮ１には第１基地局ＢＳ１が含まれ、キャリアネットワークＮ２には第２基地局ＢＳ２が含まれる。駐車場装置２は、第２基地局ＢＳ２からネットワークＮを介して駐車区画提供装置１と通信することが可能である。なお駐車場装置２は、管理会社が運営する他のサーバ装置を経由して駐車区画提供装置１へ情報を送受信するようにしてもよい。通信装置３は第１基地局ＢＳ１からネットワークＮを介して駐車区画提供装置１と通信することが可能である。公衆通信網Ｎ３にはアクセスポイントＡＰが接続されており、通信装置３はアクセスポイントＡＰからネットワークＮを介して駐車区画提供装置１と通信することも可能である。
【００２９】
図３は、駐車場装置２の記憶部２１に記憶される満空状態の内容例を示す説明図である。図３に示すように、各駐車場について該駐車場に含まれる駐車区画を識別する番号に対応付けて、満状態又は空状態のいずれかが、その状態が変化した日時と共に記憶されている。例えば、図３中の番号「１」の駐車区画は空状態であり、空状態となったのは２０１７年９月２０日の２２：２３であり、番号「２」の駐車区画は満状態であり、満状態となったのは２０１７年９月２１日の０８：０７であることが記憶されている。
【００３０】
図４は、駐車区画提供装置１に記憶されているテーブル群１１０の内容例を示す説明図である。記憶部１１のテーブル群１１０には、提携する駐車場の駐車場テーブルと、ユーザのユーザテーブルと、管理情報テーブル（図８参照）とが記憶される。駐車場テーブルは、駐車場夫々を識別する駐車場識別情報と、各駐車場の名称、住所、管理会社毎の管理番号、方式、料金情報、駐車制限等の属性情報を含む。また駐車場テーブルは、駐車場識別情報に対応付けて、各駐車場に含まれる駐車区画を識別する駐車区画識別情報、及び各駐車区画の状態等を記憶する駐車区画テーブルと対応付けられている。ユーザテーブルは、ユーザ夫々のユーザ識別情報と、ユーザの決済方法とを含む。決済方法は例えばクレジットカードの番号等の決済に必要な情報を暗号化した情報か、又は、他の決済サービスのアカウント情報であってもよい。ユーザテーブルは、各ユーザの割引率情報が対応付けられたテーブルと対応付けられている。ユーザテーブルにはユーザ毎の駐車場の利用履歴が対応付けられて記憶されてもよい。
【００３１】
このように構成される駐車区画提供システム１００における処理手順について以下に説明する。上述したように、複数の駐車場夫々に設置されている駐車場装置２では、制御部２０がセンサ入力部２４により入力したセンサ４による検知結果に基づき、駐車区画毎の満空状態をその状態が変化した日時と共に記憶部２１に逐次記憶している（図３参照）。駐車場装置２の制御部２０は、記憶部２１に記憶している駐車区画毎の満空状態を示す情報を、自身を識別する情報と共に、定期的に駐車区画提供装置１へ通信部２５から送信する。このとき自身を識別する情報とはＭＡＣアドレス等の固有の識別情報であってもよいし、又は駐車場の名称、住所、管理会社から付与される管理番号であってもよい。
【００３２】
駐車区画提供装置１では制御部１０は、複数の駐車場装置２から夫々送信される駐車区画毎の満空情報を受信し、記憶部１１に記憶している駐車区画テーブルに記憶（更新）する。これにより、駐車区画提供装置１の記憶部１１に記憶されている駐車区画テーブルには、提携している駐車場の駐車区画の最新情報が逐次収集される。
【００３３】
図５は、駐車区画提供システム１００における駐車区画の確保処理の手順の一例を示すフローチャートである。駐車区画の確保処理は、通信装置３を使用するユーザが、駐車場情報提供プログラム３Ｐを選択して起動させる操作により開始される。
【００３４】
通信装置３の制御部３０は、位置取得部３３により取得される通信装置３の位置（現在地）か、又は、ユーザの操作により指定された目的地の位置を示す位置情報を、自装置に対応付けられているユーザ識別情報と対応付けて駐車区画提供装置１へ通信部３６から送信する（ステップＳ３０１）。
【００３５】
駐車区画提供装置１側では、制御部１０は、通信装置３から送信された位置情報を、ユーザ識別情報と対応付けて受信し（ステップＳ１０１）、位置情報が示す位置から所定距離内に存在する複数の駐車場の駐車場識別情報をテーブル群１１０から抽出する（ステップＳ１０２）。なお、抽出される駐車場識別情報が所定数以上存在する場合、距離が短い順、又は料金の安い順に数件に絞りこむか、若しくは、ユーザ識別情報に記憶されている利用履歴から嗜好を反映させて絞りこんでもよい。また、他のユーザの選択結果により人気の高い順に絞りこむか、その他、予めユーザ識別情報に対応付けて記憶しておいた車種、好みの方式等の条件、又はこれまでの選択履歴に対して学習を用いて適切な駐車場の駐車場識別情報を抽出するようにしてもよい。
【００３６】
制御部１０は、抽出された複数の駐車場識別情報、該駐車場識別情報に対応する駐車場の名称、住所（地図上に表示するための位置情報）等の駐車場情報と、前記駐車場の混雑状態を通信装置３へ送信する（ステップＳ１０３）。駐車場の混雑状態は例えば駐車場毎に、該駐車場に含まれる駐車区画毎の満空状態から、制御部１０が全駐車区画の数に対する満状態の駐車区画の数の割合を求める。割合は駐車場装置２側で算出されて駐車区画提供装置１へ逐次送信されてもよい。混雑状態は割合に限らず、残りの空き区画の数であってもよいし、「混雑」「半分」「空いています」などの文言、又は色（空：寒色、満：暖色）を指定する情報であってもよい。
【００３７】
通信装置３では制御部３０は、駐車区画提供装置１から送信された駐車場情報に基づき、通信装置３（車輌）の位置、又は指定された目的地の近隣の複数の駐車場のリスト画面を表示する（ステップＳ３０２）。なお制御部３０は、受信した駐車場情報に基づき、駐車区画提供装置１側で抽出された駐車場識別情報に対応する駐車場の位置を地図上に示す画面を併せて表示させるとよい。またステップＳ３０２で表示されるリスト画面には、駐車場情報に含まれる単位時間当たりの料金の情報が表示されることが好ましい。
【００３８】
制御部３０は、リスト画面にて駐車場の選択を受け付ける（ステップＳ３０３）。選択された駐車場の駐車場識別情報に基づき、選択された駐車場の混雑状態を含む詳細な情報、及び選択された駐車場内の駐車区画の確保を受け付けるアイコン、ボタン等のインタフェースを表示させる（ステップＳ３０４）。制御部３０は、ステップＳ３０４で表示させたインタフェースにて、駐車区画の確保の選択を受け付けると（ステップＳ３０５）、自装置に対応付けられているユーザ識別情報と共に、選択された駐車場の駐車場識別情報及び確保依頼を駐車区画提供装置１へ送信する（ステップＳ３０６）。
【００３９】
駐車区画提供装置１の制御部１０は、通信装置３から確保依頼を受信すると（ステップＳ１０４）、選択された駐車場の駐車場装置２へ向けて、確保指示を送信する（ステップＳ１０５）。なお確保依頼の送信元の通信装置３に対応するユーザ識別情報に、車種等が対応付けられて記憶部１１のテーブル群１１０に記憶されている場合、制御部１０はステップＳ１０５にて、車種情報を共に送信するとよい。
【００４０】
駐車場装置２の制御部２０は、駐車区画提供装置１から確保指示を受信すると（ステップＳ２０１）、受信した時点での駐車区画の確保の可否を判断する（ステップＳ２０２）。制御部２０は、確保が可能と判断した場合（Ｓ２０２：ＹＥＳ）、空き区画を確保し（ステップＳ２０３）、確保した駐車区画の駐車区画識別番号（識別情報）を駐車区画提供装置１へ送信する（ステップＳ２０４）。確保が不可と判断された場合（Ｓ２０２：ＮＯ）、制御部２０は不可を示す情報を駐車区画提供装置１へ送信し（ステップＳ２０５）、処理を終了する。
【００４１】
なおステップＳ２０３において駐車場装置２は、空き区画として確保した駐車区画を識別する情報を記憶する。記憶部２１に記憶している駐車区画毎の満空状態を示す情報に、新たな状態（確保中状態）を示す情報を加えて記憶してもよい。また駐車場装置２の制御部２０は、確保されている駐車区画であることを駐車場内で表示させたり、ロック機構又はゲートで他の車輌の入庫を阻止させたりしてもよい。またステップＳ２０３，Ｓ２０４では、複数の駐車区画を含む駐車場において、確保中でない空き区画が所定数（例えば３）以上ある場合は空き区画を決定せずともよく、また空き区画への他の車輌の入庫阻止を実行せずともよい。なお所定数は、曜日、時間帯、周辺でのイベントの有無等に応じて変動するものであってもよい。その後制御部２０は、入庫がなされる前に空き区画が所定数未満となった時点で空き区画を決定し、該空き区画への他の車輌の入庫阻止を実施してもよい。
【００４２】
そして制御部２０は、確保を開始した確保開始日時を、識別情報に対応付けて記憶する（ステップＳ２０６）。識別情報は、ユーザ識別情報であってもよいし、決定された駐車区画の駐車区画識別情報でもよいし、一時的に確保状態を識別するための識別情報であってもよい。確保開始日時以後は、決定した空き区画の他に、その駐車場に空き区画が存在しない状態となったことが記憶部２１に記憶される満空状態から検知された場合、制御部２０は、空きがない状態の期間の長さの測定を開始する（ステップＳ２０７）。ステップＳ２０７における期間の長さの測定において制御部２０は、途中で他に空き区画が復活する都度、測定を中断し、また空き区画が存在しない状態となったことが再び検知されると測定を再開する。このように制御部２０は、空き区画が存在しなかった期間を、間欠的に測定して総計する。駐車場に１つの駐車区画のみ存在する場合は、確保されたタイミングから測定を実行し続けることになる。
【００４３】
この間駐車区画提供装置１の制御部１０は、確保の結果を駐車場装置２から受信し（ステップＳ１０６）、受信した結果を確保依頼の送信元の通信装置３へ送信する（ステップＳ１０７）。なお制御部１０は、確保の結果の可不可を判別し（ステップＳ１０８）、不可である場合には（Ｓ１０８：不可）、処理をステップＳ１０３へ戻し、不可であった駐車場以外の他の駐車場の最新情報を再度取得して通信装置３へ送信するとよい。
【００４４】
ステップＳ１０８で可である場合（Ｓ１０８：可）、制御部１０は、確保された駐車区画を含む駐車場の駐車場識別情報、確保された駐車区画の駐車区画識別情報、確保依頼元の通信装置３に対応するユーザ識別情報に対応付けて、確保開始時間を含む利用状況の情報を管理情報テーブルとしてテーブル群１１０に記憶する（ステップＳ１０９）。
【００４５】
通信装置３では制御部３０が、駐車区画提供装置１から送信された確保の結果を表示部３４にて表示させ（ステップＳ３０７）、確保処理を終了する。ステップＳ３０７にて制御部３０は、確保の結果を音声出力部により出力してもよい。確保が不可であった場合制御部３０は、処理をステップＳ３０２に戻して最新の混雑状態を含む駐車場のリストの画面を表示するとよい。
【００４６】
図６は、駐車区画提供装置１に記憶される管理情報テーブルの内容例を示す説明図である。管理情報テーブルは、上述のステップＳ１０９により記憶される情報である。管理情報テーブルは、各時点でユーザの利用状況を含む。管理情報テーブルでは、図８に示すように、利用状況の識別情報に対応付けて、利用対象の駐車場の駐車場識別情報、利用対象の駐車区画、利用しているユーザのユーザ識別情報、及び利用時間（確保開始時間、入庫開始時間、出庫時間）の対応が記憶されている。入庫開始時間及び出庫時間については後述の処理により記憶される。
【００４７】
このように確保された駐車区画へ車輌が入庫した場合の処理、及び出庫する場合の処理について説明する。図７は、駐車区画への入庫時の処理手順の一例を示すフローチャートである。通信装置３では、図５のフローチャートに示した手順の後、ユーザが駐車場情報提供プログラム３Ｐの画面を表示させる操作を行なうと、制御部３０は確保中の駐車区画の情報を表示させる（ステップＳ３１１）。確保中の駐車区画の情報の表示画面には、入庫を知らせるためのボタン又はアイコン等のインタフェースが含まれる。該インタフェースのタップを操作部３５により検知した場合に制御部３０は、入庫通知の発信を受け付け（ステップＳ３１２）、入庫通知を駐車区画提供装置１へ送信する（ステップＳ３１３）。通信装置３を操作するユーザは、車輌が確保している駐車区画に入庫できる状態となった場合に入庫通知用のインタフェースをタップするとよい。
【００４８】
なお、確保を行なわずに直接的に駐車場に来場した場合であっても、ユーザは、来場した駐車場の情報を選択し、その場合に通信装置３の制御部３０は、その情報の表示画面内に入庫通知のインタフェースを表示させてステップＳ３１２の処理を実行するようにしてもよい。
【００４９】
駐車区画提供装置１の制御部１０は、入庫通知を受信すると（ステップＳ１１１）、入庫通知の送信元の通信装置３に対応するユーザ識別情報に対応している利用状況の情報をテーブル群１１０の管理情報テーブルから抽出する（ステップＳ１１２）。制御部１０は、抽出された利用状況の情報に含まれる駐車場識別情報に対応する入庫通知先の駐車場装置２へ、駐車する駐車区画の駐車区画識別情報と対応付けて、入庫通知を送信する（ステップＳ１１３）。
【００５０】
駐車場装置２の制御部２０は、入庫通知を通信部２５から受信すると（ステップＳ２１１）、入庫通知に対応付けて送信された駐車区画識別情報が対応する駐車区画への車輌の入庫を確認する（ステップＳ２１２）。入庫の確認は、センサ４により対応する駐車区画にて空状態から満状態へ変化したか否かにより確認する。確保を行なっていない他の車輌の入庫の阻止がされている場合は、解除を行なってから確認する。なお、確保中の駐車区画に入庫通知がされることなく他の車輌が誤って入庫してきた場合には、当該他の車輌に確保中であることを報知するなど対処が必要になる。それでも入庫されたままとなった場合には、その駐車区画の確保に係る通信装置３へ、他の駐車区画が空いている場合はその空き区画を確保して通知するなどの対応をしてもよい。
【００５１】
ステップＳ２１２にて入庫が確認されると、制御部２０は図５のフローチャートのステップＳ２０７で開始していた空きがない状態の期間の長さの測定を終了し（ステップＳ２１３）、測定した長さを記憶すると共に、入庫開始時間（日時）を記憶する（ステップＳ２１４）。制御部２０は、入庫を確認したこと及び記憶した入庫開始時間を駐車区画提供装置１へ送信する（ステップＳ２１５）。
【００５２】
駐車区画提供装置１では、制御部１０は通信部１３により駐車場装置２から送信された入庫の確認及び入庫開始時間を受信すると（ステップＳ１１４）、テーブル群１１０の内の対応する管理情報テーブル内の入庫開始時間を更新する（ステップＳ１１５）。制御部１０は、入庫が確認されたことを通信装置３へ送信する（ステップＳ１１６）。
【００５３】
通信装置３では入庫確認を通信部３６から受信すると（ステップＳ３１４）、制御部３０は、入庫確認がされたことを示す画面を表示させ（ステップＳ３１５）、入庫時の処理は終了する。
【００５４】
図８は、駐車区画からの出庫時の精算処理手順の一例を示すフローチャートである。通信装置３では、図７のフローチャートに示した手順の後、ユーザが駐車場情報提供プログラム３Ｐの画面を表示させる操作を行なうと、制御部３０は駐車中の駐車場の駐車場情報を表示させる（ステップＳ３１６）。駐車中の駐車場の情報には、駐車場の名称、駐車中の駐車区画の識別情報（番号）、及び入庫開始時間が表示されるとよい。そして表示している駐車中の駐車場の情報を示す画面には、出庫を知らせるためのボタン又はアイコン等のインタフェースが含まれる。該インタフェースのタップを操作部３５により検知した場合に制御部３０は、出庫通知の発信を受け付け（ステップＳ３１７）、出庫通知を駐車区画提供装置１へ送信する（ステップＳ３１８）。通信装置３を操作するユーザは、駐車区画から車輌を出庫する準備ができた時点で出庫通知用のインタフェースをタップするとよい。
【００５５】
ステップＳ３１６で表示される情報には、入庫から発生している料金の情報が含まれるとよい。料金を表示する場合は、制御部３０が、表示する時点を出庫時間として駐車区画提供装置１から受信している時間当たりの料金の情報等から最大料金を算出する。確保を行なった場合は、確保開始時間を入庫開始時間として最大料金を算出するとよい。また制御部３０は、駐車区画提供装置１を介して駐車場装置２に、実際に発生している料金の算出を依頼するようにしてもよく、この場合駐車場装置２にて後述のステップＳ２１８、Ｓ２１９の処理を実行する。またステップＳ３１６で表示される画面では、提携店の割引情報（番号、又はチケットの読み取り）の入力を指示するインタフェースが含まれるとよい。
【００５６】
駐車区画提供装置１の制御部１０は、出庫通知を受信すると（ステップＳ１１７）、出庫通知の送信元の通信装置３に対応するユーザ識別情報に対応している利用状況の情報をテーブル群１１０の管理情報テーブルから抽出する（ステップＳ１１８）。制御部１０は、抽出された利用状況の情報に含まれる駐車場識別情報に対応する出庫通知先の駐車場装置２へ、駐車する駐車区画の駐車区画識別情報と対応付けて、出庫通知を送信する（ステップＳ１１９）。このとき、ユーザ識別情報に優待情報が対応付けられている場合、制御部１０は出庫通知と共に優待情報（割引率、提携店のチケット等）を駐車場装置２へ送信するとよい。
【００５７】
駐車場装置２の制御部２０は、出庫通知を通信部２５から受信すると（ステップＳ２１６）、出庫時間を記憶する（ステップＳ２１７）。制御部２０は、対応する駐車区画に対する料金を、ステップＳ２１４で記憶した満車期間の長さ、入庫開始時間、及び出庫時間と、内蔵するメモリに記憶してある料金表とに基づいて精算処理部２４により算出させる（ステップＳ２１８）。ステップＳ２１８において制御部２０は、確保中に他の駐車区画に他の車輌を受け入れられない状態であった期間を総計し、実際に入庫していた時間に連続させて駐車料金を算出する（図９）。優待情報が共に送信された場合は、精算処理部２３はこの優待情報を用いて料金を算出する。制御部２０は、記憶した出庫時間、及び算出された料金を駐車区画提供装置１へ送信する（ステップＳ２１９）。
【００５８】
駐車区画提供装置１の制御部１０は、出庫時間及び料金を受信すると（ステップＳ１２０）、テーブル群１１０の内の対応する管理情報テーブルの利用状況の情報の内、出庫時間を更新する（ステップＳ１２１）。そして制御部１０は、受信した料金を通信装置３へ送信する（ステップＳ１２２）。
【００５９】
通信装置３では、算出された料金を受信すると（ステップＳ３１９）、制御部３０は、料金を明記した精算の確認画面を表示部３４に表示させる（ステップＳ３２０）。精算の確認画面では、その料金での精算の実行を指示するインタフェースが表示される。精算の確認画面で精算の実行が指示されると制御部３０は精算指示を駐車区画提供装置１へ送信する（ステップＳ３２１）。割引情報の入力が選択されている場合は、その割引情報も共に送信される。
【００６０】
駐車区画提供装置１の制御部１０は、精算指示を受信すると（ステップＳ１２３）、駐車場装置２から受信している料金を対応するユーザのユーザ識別情報に対応付けられている決済方法に基づき決裁処理を行なう（ステップＳ１２４）。決済処理が完了すると制御部１０は決済処理の結果を駐車場装置２及び通信装置３へ送信し（ステップＳ１２５）、管理情報テーブルから利用状況の情報を消去する（ステップＳ１２６）。なお決済処理が完了できず失敗した場合、ステップＳ１２５では駐車場装置２へは、精算処理部２４の受付口等から直接的に入金を受け付けるように指示すると共に、通信装置３へも駐車場装置２にて精算をするように指示する情報を送信する。
【００６１】
駐車場装置２では制御部２０は、決済処理の結果を受信し（ステップＳ２２０）、駐車区画提供装置１又は精算処理部２３にて精算が完了すると、対応する駐車区画への車輌の出庫を確認する（ステップＳ２２１）。出庫の確認は、センサ４により対応する駐車区画にて満状態から空状態へ変化したか否かにより確認する。不正な出庫を防ぐためにロック機構を動作させている場合は、これを所定の時間解除して確認する。出庫が確認された場合制御部２０は、記憶していた入庫時間の情報等を消去してよい。所定時間以内に出庫が確認されない場合報知を行なうと共に、駐車区画提供装置１へ通知し、料金の加算等の処理を実行する。
【００６２】
通信装置３では制御部３０は、決済処理の結果を受信すると（ステップＳ３２２）、結果を表示部３４に表示させ（ステップＳ３２３）、処理を終了する。このとき実際に出庫を促すメッセージ等を表示させてもよい。なおステップＳ１２２、Ｓ１２３、通信装置３におけるステップＳ３１９からＳ３２１の処理は省略してもよい。
【００６３】
ステップＳ２１８における算出は具体的には以下のように行なわれる。図９は、料金の算出方法の説明図である。横軸は時間の経過を示し、駐車区画毎にハッチングの種類にて状況の変化を示している。ハッチングの種別は下部に区別している。Ｂ駐車場の「１」番の駐車区画を確保したケースで説明する。時点Ｔ１で「１」の駐車区画が確保された後、時点Ｔ２にて他の駐車区画「２」−「４」が全て満状態となったため、駐車区画「４」が空状態となった時点Ｔ３までの間が満車期間として測定される。そして、時点Ｔ４で再び駐車区画「４」が満状態となると、駐車区画「３」が空状態となった時点Ｔ５までの間が満車期間として加算される。確保中の駐車区画「１」に対して時点Ｔ６に実際に入庫がされると満車期間の測定は停止され、その後出庫通知がされた時点Ｔ７には、時点Ｔ６からＴ７までの駐車期間と、測定された満車期間とに基づいて料金が算出される。料金は、実際の駐車期間Ｔ６からＴ７までの期間に、満車期間分を連続させて算出する。例えば図９の下部に示すように、実際に入庫した時点Ｔ６よりも満車期間の総計分だけ前の第２の入庫開始時間Ｔ６’から時点Ｔ７までを駐車期間として算出する。Ｔ７の後に満車期間分を連続させて算出してもよい。このように満車期間を加算して料金を計算することにより、他の車輌の入庫を阻止したことを補償しつつユーザ側も納得するので負担感も抑制することができる。なお連続した期間として計算することにより、時間帯によって料金が異なる場合の算出処理の煩雑さを回避することができる。
【００６４】
図１０から図１５に示す画面例を参照しながら、駐車場情報提供プログラム３Ｐに基づくユーザの操作について具体的に説明する。図１０は、複数の駐車場のリスト画面の内容例を示している。図１０に示すように通信装置３では、上述の処理手順におけるステップＳ３０２にて、リスト画面として、抽出された複数の駐車場夫々に対応する駐車場の名称及び料金を示す選択可能なインタフェース３４１の一覧が表示部３４に表示される。また図１０に示すように、各駐車場の地図上の位置が、目的地又は現在地を示すマーク３４２と共に表示されているとよい。
【００６５】
図１１は、駐車場の詳細な情報の表示例を示している。図１１は、図１０に示したリスト画面中、「Ｂ駐車場」に対応するインタフェース３４１が選択された場合に、ステップＳ３０４にて表示される内容例を示している。図１１に示すように、詳細な情報には、選択された「Ｂ駐車場」の混雑状態（満空状態）が棒グラフ状で示されている他、住所、管理会社、駐車制限、区画数、提携点等の駐車場情報が表示され、更に、確保を受け付けるインタフェース３４３が表示されている。そして図１２は、駐車区画の確保の結果の表示例を示している。図１２は、図１１のインタフェース３４３がタップされた場合にステップＳ３０７にて表示される確保の結果を示しており、いずれの駐車区画が確保されたかの情報（駐車区画番号「３」）が表示されている。また図１２には、満車になった場合に料金が発生する旨の注意書きも表示されている。
【００６６】
図１３は、確保中の駐車区画の情報の表示例を示している。図１３は、ユーザが確保した駐車場へ向かう途中など、確保中の駐車区画を確認したい場合に、駐車場情報提供プログラム３Ｐを起動させると表示される（ステップＳ３１１）。そして図１３に示すように、確保中の駐車場情報を確認する画面には、入庫通知のためのインタフェース３４４が含まれている。なおインタフェース３４４は、通信装置３の位置取得部３３にて取得できる自位置が、確保中の駐車区画から所定距離内に存在するときのみに表示されるようにしてもよい。インタフェース３４４がタップされると、区画提供装置１を介して駐車場装置２へ入庫が通知され、ロック機構が設けられている場合には解除されて入庫が確認される。
【００６７】
図１４は、駐車中の駐車場の情報の表示例を示している。図１４は、ユーザが車輌を駐車させている間に確認したい場合、また出庫したい場合に駐車場情報提供プログラム３Ｐを起動させると表示される（ステップＳ３１６）。駐車中の駐車場の情報の表示画面には、図１４に示すように出庫通知用のインタフェース３４５が含まれていると共に、提携店の割引情報の入力を指示するインタフェース３４６が含まれている。インタフェース３４５がタップされると出庫通知が通信装置３から駐車区画提供装置１へ送信される。インタフェース３４６がタップされた場合、出庫通知を送信する前に、割引用のチケット、レシート等の画像の取り込みが実行され、チケット、レシートに含まれる識別情報がバーコードなどから読み取られ、出庫通知と共に駐車区画提供装置１へ送信される。なお画像は通信により得られた画像データであってもよいし、識別情報も直接、通信により得られたものであってもよい。
【００６８】
図１５は、精算確認の画面例を示している。図１５は、図１４で出庫通知のインタフェース３４５が選択された場合に、ステップＳ３２０で表示される内容例を示している。図１５に示すように、精算の確認画面には料金が表示される。なお料金の実際の入庫開始時間から出庫時間までの時間に基づく料金と、満車期間に基づき算出された料金との内訳が表示されるとより好ましい。
【００６９】
このようにして駐車場システム１００では、多様な料金設定がされている多様な駐車場について、ユーザは通信装置３を用い、各々の料金、及び混雑状態を比較して利用する駐車場を決定することができる上、更に確保することが可能でする。更に、実際に駐車した駐車区画についての料金の精算さえも、通信装置３の１つのアプリ（駐車場情報提供プログラム３Ｐ）上で実行することが可能となる。しかも料金は、ユーザ及び駐車場の管理者の両者が納得し得るものとすることができ、駐車区画の効率的な利用が促される。駐車場装置２は、上述した処理を駐車区画提供装置１に対し安全に実行できればよく、複数の管理会社に亘って、駐車区画提供装置１から駐車場の情報を提供し、更に確保の実現が可能となる。
【００７０】
通信装置３を専用機とする場合、入庫通知及び入庫通知の物理ボタンを用いる形態として、位置取得、確保する駐車場の選択等の受け付けは、ナビゲーション装置の構成部（ＧＰＳ受信部、モニタ、スピーカ及びマイク）を利用するようにしてもよい。
【００７１】
本開示の駐車システムは上述のように、精算機に対してユーザが操作を行なわずとも駐車区画提供装置１を介して駐車区画の確保から入庫及び出庫、更には決済まで実行するＯＰＡ（Online Parking Agent）サービスが実現される。ＯＰＡサービスはこのようにオンラインで処理を行なうから、自動運転が可能な車輌の駐車区画の確保にも利用することができる。具体的には通信装置３の機能を、互いに通信する車載機とユーザが携帯する携帯装置（スマートフォン）とに分別し、ユーザは目的地周辺で車輌から降車して車輌に車載機又は携帯装置を介して駐車を指示する。車載機は直接的又は携帯装置を介してこの指示を受け、位置取得部３３により自位置を取得して駐車区画提供装置１へ送信し、周辺の駐車場の抽出を受けて最も距離が近い又は最も料金が安価な駐車区画を選択する。選択は車載機が自ら自動で行ってもよいし、携帯装置を介してユーザの指示を受けてもよい。車載機は、選択された駐車区画の確保指示を送信し、確保が確認できるとその駐車場の位置情報に基づいて自動で駐車場まで走行し、確保した駐車区画に自動で駐車する。駐車中は図１４に示したような画面でユーザの携帯装置から状況の確認が可能であり、ユーザは現在地まで車輌を動かすべく携帯装置から駐車区画提供装置１及び車載機向けに出庫通知を送信させる。駐車区画提供装置１を介して駐車場装置２は料金を計算して駐車区画提供装置１での決済の結果の通知を受けて出庫可能とし、車載機は、出庫を開始し、自動でユーザの位置まで走行する。駐車区画提供装置１側では、複数のユーザからの確保指示、入庫通知、及び出庫通知を一括して受信するから、各車輌の駐車区画として最適な区画をその各条件から算出して提案することもできる。
【００７２】
なお上述の実施の形態では、料金の算出は駐車場装置２の精算処理部２３にて実行することとしたがこれに限らず、駐車区画提供装置１側で算出も行なってもよい。
【００７３】
開示された実施の形態は、すべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００７４】
１  駐車区画提供装置（サーバ装置）
１０  制御部，１１  記憶部，１３  通信部
１Ｐ  駐車区画提供プログラム
１１０  テーブル群
２  駐車場装置
２０  制御部，２１  記憶部，２３  センサ入力部，２４  精算処理部，２５  通信部
４  センサ
３  通信装置（クライアント装置）
３０  制御部，３１  記憶部，３６  通信部
３Ｐ  駐車場情報提供プログラム
Ｎ  ネットワーク
【図１】
2019070966.tif 000003
【図２】
2019070966.tif 000004
【図３】
2019070966.tif 000005
【図４】
2019070966.tif 000006
【図５】
2019070966.tif 000007
【図６】
2019070966.tif 000008
【図７】
2019070966.tif 000009
【図８】
2019070966.tif 000010
【図９】
2019070966.tif 000011
【図１０】
2019070966.tif 000012
【図１１】
2019070966.tif 000013
【図１２】
2019070966.tif 000014
【図１３】
2019070966.tif 000015
【図１４】
2019070966.tif 000016
【図１５】
2019070966.tif 000017